(57)【要約】
【課題】  装飾上の面白さの向上を図った装飾体を提供する。
【解決手段】  表示面１を有した本体２を備えた装飾体Ｔにおいて、表示面１に刺繍が施されたシート状の複数の装飾単体Ｓを付設するとともに、複数の装飾単体Ｓとして、刺繍模様が互いに全て異なる装飾単体Ｓを用い、複数の装飾単体Ｓを行列状に付設し、複数の装飾単体Ｓを夫々同面積の矩形状に形成し、装飾単体Ｓを、布で形成された台布２０に糸で刺繍を施した「刺し子」で構成し、台布２０の外周を内側に折曲し、折曲した折曲部を表装布２２に縫合し、表装布２２を本体２の表示面１に貼着し、表装布２２を、表示面１より小さい相似形状に形成し、表装布２２の周囲に表示面１が露出するように表装布２２を表示面１に貼着した。
【選択図】  図１
0003100851.tif 000002
【実用新案登録請求の範囲】
【請求項１】
表示面を有した本体を備えた装飾体において、
上記表示面に刺繍が施されたシート状の複数の装飾単体を付設するとともに、該複数の装飾単体として、刺繍模様が異なる装飾単体を用いたことを特徴とする装飾体。
【請求項２】
上記複数の装飾単体として、刺繍模様が互いに全て異なる装飾単体を用いたことを特徴とする請求項１記載の装飾体。
【請求項３】
上記複数の装飾単体を行列状に付設したことを特徴とする請求項１または２記載の装飾体。
【請求項４】
上記複数の装飾単体を夫々同面積の矩形状に形成したことを特徴とする請求項１，２または３記載の装飾体。
【請求項５】
上記装飾単体を、布で形成された台布に糸で刺繍を施した「刺し子」で構成したことを特徴とする請求項１，２，３または４記載の装飾体。
【請求項６】
上記台布の外周を内側に折曲し、該折曲した折曲部を表装布に縫合し、該表装布を上記本体の表示面に貼着したことを特徴とする請求項５記載の装飾体。
【請求項７】
上記表装布を、上記表示面より小さい相似形状に形成し、該表装布の周囲に表示面が露出するように該表装布を表示面に貼着したことを特徴とする請求項６記載の装飾体。
【請求項８】
表示面を有した本体を備えた装飾体において、
上記表示面に刺繍が施されたシート状の複数の装飾単体を付設するとともに、該複数の装飾単体として、刺繍模様が互いに全て異なる装飾単体を用い、
上記複数の装飾単体を行列状に付設し、
上記複数の装飾単体を夫々同面積の矩形状に形成し、
上記装飾単体を、布で形成された台布に糸で刺繍を施した「刺し子」で構成し、
上記台布の外周を内側に折曲し、該折曲した折曲部を表装布に縫合し、該表装布を上記本体の表示面に貼着し、
上記表装布を、上記表示面より小さい相似形状に形成し、該表装布の周囲に表示面が露出するように該表装布を表示面に貼着したことを特徴とする装飾体。
【考案の詳細な説明】
【技術分野】
【０００１】
本考案は、屏風や掛け軸等の表示面を有した装飾体に関する。
【背景技術】
【０００２】
従来、この種の装飾体には、例えば、特開平３−１８４５８２号公報に記載された屏風が知られている。
図１０に示すように、この従来の屏風としての装飾体１００は、表裏に表示面１０１，１０２を有した矩形板状の本体１０３を備えている。この本体１０３は複数に分割されており、この分割した分割体１０３ａは、折り畳み自在となるようにヒンジ結合されている。各分割体１０３ａの内部には、平板状の発泡スチロールからなる内装材１０４を有し、内装材１０４の両面に紙製の下張１０５が貼られている。表の表示面１０１には金色の紙製の上張１０６が貼られている。裏の表示面１０２には更に菱形状の模様が多数印刷された紙製の上張１０７が貼られている。符号１０８は本体１０３の外周に設けられたプラスチック製の枠体，１０９は枠体１０８に設けられた金属製の飾り部材である。
【０００３】
【特許文献１】特開平３−１８４５８２号公報
【考案の開示】
【考案が解決しようとする課題】
【０００４】
ところで、従来の装飾体１００においては、表の表示面１０１には、金色の紙製の上張１０６が貼着されているが、一色なので装飾上の面白味に欠け、また、裏の表示面１０２には菱形状の模様が多数印刷されているが、単純な模様の羅列なので、この裏の表示面１０２においても、装飾上の面白味に欠けるという問題があった。
本考案は上記の問題点に鑑みて為されたもので、装飾上の面白さの向上を図った装飾体を提供することを目的とする。
【課題を解決するための手段】
【０００５】
このような目的を達成するための本考案の技術的手段は、表示面を有した本体を備えた装飾体において、上記表示面に刺繍が施されたシート状の複数の装飾単体を付設するとともに、該複数の装飾単体として、刺繍模様が異なる装飾単体を用いた構成としている。
これにより、装飾体の表示面には、刺繍模様のデザインが異なる複数の装飾単体が設けられるので、装飾上の面白味が増加させられる。また、刺繍模様のデザインが異なる複数の装飾単体が設けられているので、たくさんの装飾単体を一度に見ることができ、刺繍模様の標本として機能させることができる。
【０００６】
また、必要に応じ、上記複数の装飾単体として、刺繍模様が、互いに全て異なる装飾単体を用いた構成としている。刺繍模様が、互いに全て異なっているので、より一層装飾上の面白味が増加させられる。
【０００７】
そして、必要に応じ、上記複数の装飾単体を行列状に付設した構成としている。これにより、整然としたデザインとされる。
【０００８】
更に、必要に応じ、上記複数の装飾単体を夫々同面積の矩形状に形成した構成としている。これにより、整然としたデザインとされる。
【０００９】
更にまた、必要に応じ、上記装飾単体を、布で形成された台布に糸で刺繍を施した「刺し子」で構成している。面白味のある装飾体が作成される。また、「刺し子」の標本として機能させることができる。この際、刺繍模様を「高田刺し子」にした場合には、「高田刺し子」は種類が多いので、これらを一度に見ることができる標本として有用になる。
【００１０】
また、必要に応じ、上記台布の外周を内側に折曲し、該折曲した折曲部を表装布に縫合し、該表装布を上記本体の表示面に貼着した構成としている。表示面に装飾単体をのり等の接着剤で貼着し、更に表示面の裏からすくい縫いで縫合したので、より確実に貼着される。
【００１１】
そして、必要に応じ、上記表装布を、上記表示面より小さい相似形状に形成し、該表装布の周囲に表示面が露出するように該表装布を表示面に貼着した構成としている。
これにより、また、表装布が縁取りされるようになり、そのため、装飾単体がより際立って見えることから、見やすくすることができる。
【考案の効果】
【００１２】
本考案の装飾体によれば、装飾体の表示面には、刺繍模様のデザインが異なる複数の装飾単体が設けられるので、装飾上の面白味を増加させることができる。また、刺繍模様のデザインが異なる複数の装飾単体が設けられるので、たくさんの装飾単体を一度に見ることができ、刺繍模様の標本として機能させることができる。特に、装飾単体を、布で形成された台布に糸で刺繍を施した「刺し子」で構成すれば、見やすく、面白味があり、一度にたくさんの「刺し子」の刺繍模様を見ることができる標本機能を有した装飾体を提供できる。
【考案を実施するための最良の形態】
【００１３】
以下、添付図面に基づいて、本考案の実施の形態に係る装飾体について詳細に説明する。
図１には、本考案の実施の形態に係る装飾体Ｔを示す。この装飾体Ｔは、屏風であり、表裏に表示面１を有した板状の本体２を備えている。
図１乃至図４に示すように、本体２は、矩形状の複数の分割体２ａに分割されている。分割体２ａは、実施の形態では、６枚用意され、六曲の屏風を構成する。
この各分割体２ａは、角型の木材で矩形状に組んで形成された外枠３と、外枠３の内側に外枠３よりも細い木材を組んで形成された格子状の補強材４とからなる骨組体５を備えている。骨組体５は、木材に限らずプラスチック等でも作ることができる。
この骨組体５の表面５ａと裏面５ｂには、布や紙製等の下張６が貼付されている。これらの分割体２ａにおいて、互いに隣接する分割体２ａの長辺同士は、図３及び図４に示すように、各分割体２ａが交互に折れ曲がり方向を異ならせて折り畳み可能になるように、ヒンジ７を構成する帯状のテープ８で夫々を繋ぎ合わされている。
【００１４】
更に、本体２においては、繋ぎ合わされた分割体２ａの下張６及びテープ８の上から、布や紙製等の上張９が貼付されている。上張９の貼り付け方は、分割体２ａ毎に分割して張り付けるのではなく、連続して分割体２ａの表面とヒンジ７を一枚の上張９で貼り付ける。
また、図２に示すように、本体２の外縁１１には断面コ字状の縁部材１２が嵌合されており、本体２は縁取りされている。縁部材１２は、木材や金属あるいは布など適宜の材料で形成される。尚、縁部材１２を嵌めた後、縁部材１２の角部等に飾り金具を取り付けても良い。外観がより美しくなり、縁部材１２の強度をより上げることができる。
【００１５】
また、本考案の実施の形態に係る装飾体Ｔにおいて、表の表示面１には、刺繍が施されたシート状の複数の装飾単体Ｓが付設されている。複数の装飾単体Ｓとしては、刺繍模様ｅが異なる装飾単体Ｓが用いられる。特に、複数の装飾単体Ｓとして、刺繍模様ｅが互いに全て異なる装飾単体Ｓが用いられている。
また、複数の装飾単体Ｓは、夫々同面積の矩形状に形成されており、表示面１に行列状に付設されている。実施の形態では、図１に示すように、１つの分割体２ａ当たり、９行３列に付設されている。
【００１６】
詳しくは、装飾単体Ｓは、布で形成された台布２０に糸で刺繍を施した「刺し子」で構成されている。実施の形態では、岩手県陸前高田市に古くからある伝統的な「高田刺し子」で構成されている。「高田刺し子」は、昔貴重品であった木綿の着物や、薄い布地を複数重ねて刺繍を施すことで布地を破れにくく丈夫にする目的と、刺繍を施して布地を厚くすることにより防寒性を向上させる目的で使用された。昔の生活が苦しい中、布を縫い合わせたものが、装飾的要素を備えたという歴史がある。この高田刺し子の模様は種類が多く、その刺繍模様ｅとしては、例えば、図５（ａ）（ｂ）（ｃ）に示すように、種々のパターンがあり、実施の形態では、１６２種（３行×９列×六曲）用いた。各分割体２ａに、２７種ずつ付設した。
【００１７】
また、図６乃至図９に示すように、各装飾単体Ｓにおいては、台布２０の外周が内側に折曲されており、この折曲した折曲部２１が表装布２２に縫合され、そして、この表装布２２が本体２の表示面１に貼着されている。表装布２２は、表示面１より小さい相似形状に形成されており、表装布２２の周囲に表示面１が露出するように表装布２２は表示面１に貼着されている。
より詳しくは、装飾単体Ｓの並べ方は、表装布２２に複数の装飾単体Ｓを行列状に配置している。実施の形態の場合は、図１に示すように、一曲に正方形の装飾単体Ｓを横方向に３枚ずつ９行行列状に配置している。また、この場合、３行×３列のグループ，２行×３列のグループ，４行×３列のグループ，長方形の装飾単体Ｓに、グループ同士分けて配置している。
このように配置した装飾単体Ｓを、のり等の接着剤２３で貼り、図７に示すように、更に装飾単体Ｓの折曲部２１を裏から縫い目が目立たないように、すくい縫い２４をして表装布２２に縫合する。複数の装飾単体Ｓが縫合された表装布２２を、本体２の表示面１に貼着する。
【００１８】
この装飾体Ｔの制作においては、複数の装飾単体Ｓが夫々同面積の矩形状に形成されているので、折曲部２１の形成や表示面１への配置が容易となっている。
また、台布２０の外周を内側に折曲し、折曲した折曲部２１を表装布２２に縫合し、表装布２２を本体２の表示面１に貼着しているので、より確実に貼着できる。
【００１９】
従って、この実施の形態に係る装飾体Ｔを用いるときは、図１に示すように、表示面１を開いて部屋等に立て掛ける。
この装飾体Ｔにあっては、装飾体Ｔの表示面１には、刺繍模様ｅのデザインが異なる複数の装飾単体Ｓが設けられているので、装飾上の面白味が増加させられる。また、刺繍模様ｅが、互いに全て異なっているので、より一層装飾上の面白味が増加させられる。更に、装飾単体Ｓは行列状に付設されているので、整然としたデザインとなる。また、表装布２２は、表示面１と表示面１より小さい相似形状に形成され、表装布２２の周囲に表示面１が露出するように表示面１に貼着されているので、表装布２２が縁取りされるようになり、そのため、装飾単体Ｓがより際立って見えることから、見やすくすることができる。
また、表示面１には、刺繍模様ｅのデザインが異なる複数の装飾単体Ｓが設けられているので、標本として機能させることができる。実施の形態では、各装飾体Ｔは、１６２種類の刺繍模様ｅが存在する高田刺し子を一度に見ることができる標本として機能する。この場合、装飾単体Ｓは行列状に付設されているので、整然としており、より見やすい標本となっている。また、表装布２２は、装飾単体Ｓをより際立たせて装飾しているので、より見やすい標本とすることができる。
【００２０】
尚、装飾単体Ｓに施される刺繍模様ｅは、幾つかが同じ刺繍模様ｅであっても良いし、装飾単体Ｓを複数組み合わせて１つの大きな模様になるように刺繍を施すことも可能である。また、実施の形態では表の表示面１に装飾単体Ｓを貼着，縫合したが、裏の表示面１にも装飾単体Ｓを貼着，縫合しても良い。
尚また、上記実施の形態において、装飾体Ｔを六曲屏風としたが、必ずしもこれに限定されるものではなく、二曲屏風，四曲屏風，八曲屏風等として良い。そして、装飾体Ｔを屏風の他に、掛け軸，襖，額縁，写真立て等としても良い。
【図面の簡単な説明】
【００２１】
【図１】本考案の実施の形態に係る装飾体を示す正面図である。
【図２】本考案の実施の形態に係る装飾体の内部を示す部分切欠き斜視図である。
【図３】本考案の実施の形態に係る装飾体の部分断面図である。
【図４】本考案の実施の形態に係る装飾体の上張の貼着方法を示す斜視図である。
【図５】本考案の実施の形態に係る装飾単体の刺繍模様の一例を示す図である。
【図６】本考案の実施の形態に係る装飾単体の形成方法を示す図である。
【図７】本考案の実施の形態に係る装飾単体の折曲部の縫合状態を示す平面図である。
【図８】本考案の実施の形態に係る装飾体において装飾単体の取り付け状態を示す断面図である。
【図９】本考案の実施の形態に係る装飾体において装飾単体の取り付け状態を示す拡大断面図である。
【図１０】従来の装飾体の一例を示す斜視図である。
【符号の説明】
【００２２】
Ｔ  装飾体
Ｓ  装飾単体
ｅ  刺繍模様
１  表示面
２  本体
２ａ  分割体
３  外枠
４  補強材
５  骨組体
５ａ  表面
５ｂ  裏面
６  下張
７  ヒンジ
８  テープ
９  上張
１１  外縁
１２  縁部材
２０  台布
２１  折曲部
２２  表装布
２３  接着剤
２４  すくい縫い
【図１】
0003100851.tif 000003
【図２】
0003100851.tif 000004
【図３】
0003100851.tif 000005
【図４】
0003100851.tif 000006
【図５】
0003100851.tif 000007
【図６】
0003100851.tif 000008
【図７】
0003100851.tif 000009
【図８】
0003100851.tif 000010
【図９】
0003100851.tif 000011
【図１０】
0003100851.tif 000012